【手続補正書】
【提出日】平成29年3月9日(2017.3.9)
【手続補正１】
【補正対象書類名】特許請求の範囲
【補正対象項目名】全文
【補正方法】変更
【補正の内容】
【特許請求の範囲】
【請求項１】
ユーザ機器（ＵＥ）による無線通信のための方法であって、
アップリンクにおける送信のための、ハイブリッド自動反復要求（ＨＡＲＱ）動作のための基準として用いるための第１の基準サブフレーム構成を識別することと、
ダウンリンクにおける送信のための、ＨＡＲＱ動作のための基準として用いるための第２の基準サブフレーム構成を識別することと、
前記第１および前記第２の基準サブフレーム構成に基づいて、前記アップリンクおよび前記ダウンリンクで、少なくとも１つのノードと通信することと、を備える方法。
【請求項２】
前記アップリンクにおける送信および前記ダウンリンクにおける受信のために、現在のサブフレーム構成を識別すること、ここにおいて、前記現在のサブフレーム構成は、前記第１または前記第２の基準サブフレーム構成のうちの少なくとも１つとは異なる、をさらに備える請求項１に記載の方法。
【請求項３】
前記ダウンリンクにおける送信のための前記第２の基準サブフレーム構成は、少なくとも２つの基準サブフレーム構成から識別され、
特に、ここにおいて、前記少なくとも２つの基準サブフレーム構成は、時分割複信（ＴＤＤ）アップリンク／ダウンリンク（ＵＬ／ＤＬ）サブフレーム構成＃２およびＴＤＤ  ＵＬ／ＤＬサブフレーム構成＃５、または、５ミリ秒のスイッチング周期のＴＤＤ  ＵＬ／ＤＬサブフレーム構成および１０ミリ秒のスイッチング周期のＴＤＤ  ＵＬ／ＤＬサブフレーム構成、のうちの少なくとも１つを備える、請求項１に記載の方法。
【請求項４】
前記アップリンクにおけるスケジューリングのために、ダウンリンク制御情報（ＤＣＩ）フォーマットにおける情報フィールドを、前記第２の基準サブフレーム構成に基づいて解釈すること、ここにおいて、前記情報フィールドは、アップリンク・インデクス・フィールドを備える、をさらに備え、
ここにおいて、少なくとも１つの第２の基準サブフレーム構成について、前記アップリンクにおけるスケジューリングのために、ＤＣＩフォーマットにおける情報フィールドを、前記第２の基準サブフレーム構成に基づいて解釈することは、ダウンリンク割当の合計数を示すダウンリンク割当フィールド、または、スケジュールされるべき１つまたは複数のアップリンク・サブフレームを示すアップリンク・インデクス・フィールド、のうちの少なくとも１つとして、前記アップリンク・インデクス・フィールドを解釈することを含む、請求項１に記載の方法、
または、前記ダウンリンクにおける送信のための少なくとも前記第２の基準サブフレーム構成は、無線リソース制御（ＲＲＣ）シグナリングを介して準静的に受信される、請求項１に記載の方法、
または、前記アップリンクにおける送信のための少なくとも前記第１の基準サブフレーム構成は、システム情報ブロック（ＳＩＢ）タイプ１を含むブロードキャスト・シグナリングを介して受信される、請求項１に記載の方法、
または、前記アップリンクのためのＨＡＲＱタイミング、スケジューリング・タイミング、またはＨＡＲＱ処理の数のうちの少なくとも１つを、前記第１の基準サブフレーム構成に基づいて決定することと、
前記ダウンリンクのためのＨＡＲＱタイミング、またはＨＡＲＱ処理の数のうちの少なくとも１つを、前記第２の基準サブフレーム構成に基づいて決定することと、をさらに備える請求項１に記載の方法、
または、周期的なスケジューリング要求および周期的なチャネル状態情報フィードバックのうちの少なくとも１つの送信を、前記第２の基準サブフレーム構成に基づいて決定すること、をさらに備える請求項１に記載の方法、
または、ＨＡＲＱ動作は、ＨＡＲＱタイミングを含む、請求項１に記載の方法。
【請求項５】
基地局（ＢＳ）による無線通信のための方法であって、
アップリンクにおける送信のための、ハイブリッド自動反復要求（ＨＡＲＱ）動作のための基準として用いるための第１の基準サブフレーム構成を識別することと、
ダウンリンクにおける送信のための、ＨＡＲＱ動作のための基準として用いるための第２の基準サブフレーム構成を識別することと、
前記第１および前記第２の基準サブフレーム構成に基づいて、前記アップリンクおよび前記ダウンリンクで少なくとも１つのユーザ機器（ＵＥ）と通信することと、を備える方法。
【請求項６】
前記ダウンリンクにおける送信のための前記第２の基準サブフレーム構成は、５ミリ秒のスイッチング周期の時分割複信（ＴＤＤ）アップリンク／ダウンリンク（ＵＬ／ＤＬ）サブフレーム構成、または、１０ミリ秒のスイッチング周期のＴＤＤ  ＵＬ／ＤＬサブフレーム構成のうちの少なくとも１つから識別される、請求項５に記載の方法。
【請求項７】
前記アップリンクにおけるスケジューリングのために、ダウンリンク制御情報（ＤＣＩ）フォーマットにおける情報フィールドで情報を提供すること、前記情報は、前記第２の基準サブフレーム構成に基づいて提供され、ここにおいて、前記情報フィールドは、アップリンク・インデクス・フィールドを備える、をさらに備え、
ここにおいて、少なくとも１つの第２の基準サブフレーム構成について、前記アップリンクにおけるスケジューリングのために、ＤＣＩフォーマットにおける情報フィールドで情報を提供することは、ダウンリンク割当の合計数を示すダウンリンク割当情報、または、スケジュールされるべき１つまたは複数のアップリンク・サブフレームを示す情報、のうちの少なくとも１つを、アップリンク・インデクス・フィールドで提供することを含む、請求項５に記載の方法、
または、前記ダウンリンクにおける送信のための少なくとも前記第２の基準サブフレーム構成は、無線リソース制御（ＲＲＣ）シグナリングを介して準静的にシグナルされる、請求項５に記載の方法、
または、前記アップリンクにおける送信のための少なくとも前記第１の基準サブフレーム構成は、システム情報ブロック（ＳＩＢ）タイプ１を含むブロードキャスト・シグナリングを介してシグナルされる、請求項５に記載の方法、
または、前記ＢＳが前記ＵＥと通信するネットワークの負荷、または、実際のトラフィックに基づいて、前記アップリンクにおける送信、または、前記ダウンリンクにおける送信のうちの少なくとも１つのための別の基準サブフレーム構成を識別すること、をさらに備える請求項５に記載の方法、
または、ＨＡＲＱ動作は、ＨＡＲＱタイミングを含む、請求項５に記載の方法。
【請求項８】
無線通信のための装置であって、
アップリンクにおける送信のための、ハイブリッド自動反復要求（ＨＡＲＱ）動作のための基準として用いるための第１の基準サブフレーム構成を識別し、
ダウンリンクにおける送信のための、ＨＡＲＱ動作のための基準として用いるための第２の基準サブフレーム構成を識別し、
前記第１および前記第２の基準サブフレーム構成に基づいて、前記アップリンクおよび前記ダウンリンクで、少なくとも１つのノードと通信する、
ように構成されたプロセッサと、
前記プロセッサに結合されたメモリと、を備える装置。
【請求項９】
前記プロセッサはさらに、前記アップリンクにおける送信および前記ダウンリンクにおける受信のために、現在のサブフレーム構成を識別するように構成され、ここにおいて、前記現在のサブフレーム構成は、前記第１または前記第２の基準サブフレーム構成のうちの少なくとも１つとは異なる、請求項８に記載の装置、
または、前記ダウンリンクにおける送信のための前記第２の基準サブフレーム構成は、少なくとも２つの基準サブフレーム構成から識別され、前記少なくとも２つの基準サブフレーム構成は、５ミリ秒のスイッチング周期の時分割複信（ＴＤＤ）アップリンク／ダウンリンク（ＵＬ／ＤＬ）サブフレーム構成、および１０ミリ秒のスイッチング周期のＴＤＤ  ＵＬ／ＤＬサブフレーム構成を備える、請求項８に記載の装置。
【請求項１０】
前記プロセッサはさらに、前記アップリンクにおけるスケジューリングのために、ダウンリンク制御情報（ＤＣＩ）フォーマットにおける情報フィールドを、前記第２の基準サブフレーム構成に基づいて解釈するように構成され、ここにおいて、前記情報フィールドは、アップリンク・インデクス・フィールドを備える、と、
少なくとも１つの第２の基準サブフレーム構成について、前記アップリンクにおけるスケジューリングのために、ＤＣＩフォーマットにおける情報フィールドを、前記第２の基準サブフレーム構成に基づいて解釈することは、前記アップリンク・インデクス・フィールドを、ダウンリンク割当の合計数を示すダウンリンク割当フィールド、または、スケジュールされるべき１つまたは複数のアップリンク・サブフレームを示すアップリンク・インデクス・フィールド、のうちの少なくとも１つとして解釈することを含む、と、
をさらに備える請求項８に記載の装置、
または、前記プロセッサはさらに、前記ダウンリンクのための少なくとも前記第２の基準サブフレーム構成を、無線リソース制御（ＲＲＣ）シグナリングを介して準静的に受信するように構成された、請求項８に記載の装置、
または、、システム情報ブロック（ＳＩＢ）タイプ１を含むブロードキャスト・シグナリングを介する前記アップリンクのための少なくとも前記第１の基準サブフレーム構成、請求項８に記載の装置、
または、前記プロセッサはさらに、前記アップリンクのためのＨＡＲＱタイミング、スケジューリング・タイミング、またはＨＡＲＱ処理の数のうちの少なくとも１つを、前記第１の基準サブフレーム構成に基づいて決定し、
前記ダウンリンクのためのＨＡＲＱタイミング、またはＨＡＲＱ処理の数のうちの少なくとも１つを、前記第２の基準サブフレーム構成に基づいて決定する、ように構成された、請求項８に記載の装置。
【請求項１１】
無線通信のための装置であって、
アップリンクにおける送信のための、ハイブリッド自動反復要求（ＨＡＲＱ）動作のための基準として用いるための第１の基準サブフレーム構成を識別し、
ダウンリンクにおける送信のための、ＨＡＲＱ動作のための基準として用いるための第２の基準サブフレーム構成を識別し、
前記第１および前記第２の基準サブフレーム構成に基づいて、前記アップリンクおよび前記ダウンリンクで少なくとも１つのユーザ機器（ＵＥ）と通信する、
ように構成されたプロセッサと、
前記プロセッサに接続されたメモリと、を備える装置。
【請求項１２】
前記ダウンリンクのための前記第２の基準サブフレーム構成は、少なくとも時分割複信（ＴＤＤ）アップリンク／ダウンリンク（ＵＬ／ＤＬ）サブフレーム構成＃２またはＴＤＤ  ＵＬ／ＤＬサブフレーム構成＃５、または、５ミリ秒のスイッチング周期のＴＤＤ  ＵＬ／ＤＬサブフレーム構成または１０ミリ秒のスイッチング周期のＴＤＤ  ＵＬ／ＤＬサブフレーム構成、のうちの少なくとも１つから識別される、請求項１１に記載の装置。
【請求項１３】
前記プロセッサはさらに、前記アップリンクにおけるスケジューリングのために、ダウンリンク制御情報（ＤＣＩ）フォーマットにおける情報フィールドで情報を提供し、前記情報は、前記第２の基準サブフレーム構成に基づいて提供され、ここにおいて、前記情報フィールドは、アップリンク・インデクス・フィールドを備える、ように構成され、
ここにおいて、少なくとも１つの第２の基準サブフレーム構成について、前記アップリンクにおけるスケジューリングのために、ＤＣＩフォーマットにおける情報フィールドで情報を提供することは、ダウンリンク割当の合計数を示すダウンリンク割当情報、または、スケジュールされるべき１つまたは複数のアップリンク・サブフレームを示す情報、のうちの少なくとも１つを、アップリンク・インデクス・フィールドで提供することを含む、請求項１１に記載の装置。
【請求項１４】
前記プロセッサはさらに、前記ダウンリンクのための少なくとも前記第２の基準サブフレーム構成を、無線リソース制御（ＲＲＣ）シグナリングを介して準静的にシグナルするように構成された、請求項１１に記載の装置、
または、前記プロセッサはさらに、前記アップリンクのための少なくとも前記第１の基準サブフレーム構成を、システム情報ブロック（ＳＩＢ）タイプ１を含むブロードキャスト・シグナリングを介してシグナルするように構成された、請求項１１に記載の装置。
または、前記プロセッサはさらに、前記装置が前記ＵＥと通信するネットワークの負荷、または、実際のトラフィックに基づいて、前記アップリンクまたは前記ダウンリンクのうちの少なくとも１つのための別の基準サブフレーム構成を識別するように構成された、請求項１１に記載の装置。
【請求項１５】
コンピュータ上で実行されるとき請求項１から７のいずれかに従って方法のステップを実行するためのコンピュータ実行可能な命令を備える、コンピュータプログラム。
【手続補正２】
【補正対象書類名】明細書
【補正対象項目名】００９０
【補正方法】変更
【補正の内容】
【００９０】
[0104]前述の記載は、いかなる当業者であっても、ここで開示されたさまざまな態様を実現できるように提供される。これらの態様に対するさまざまな変形例は、当業者に容易に明らかになり、本明細書に定義された一般的な原理は、他の態様にも適用可能である。したがって、特許請求の範囲は、本明細書に示された態様に限定されず、請求項の文言と首尾一貫したすべての範囲が与えられることが意図されており、ここで、単数形による要素への参照は、明確に述べられていないのであれば、「１および１のみ」を意味するのではなく、「１または複数」を意味することが意図されている。特に明記されていない限り、用語「いくつか」は、１または複数を称する。当業者に周知であるか、または、後に周知になるべき本開示を通じて記載されたさまざまな態様の要素に対するすべての構造的および機能的な等価物が、参照によって本明細書に明確に組み込まれており、請求項に含められていると意図される。さらに、本明細書で開示された何れも、このような開示が請求項において明示的に述べられているかに関わらず、公衆に対して放棄されたものとは意図されていない。請求項の要素が、「〜する手段」という文言を用いて明示的に示されていないのであれば、請求項の何れの要素も、ミーンズ・プラス・ファンクション（ｍｅａｎｓ  ｐｌｕｓ  ｆｕｎｃｔｉｏｎ）として解釈されるべきではない。
以下に、本願出願の当初の特許請求の範囲に記載された発明を付記する。
［Ｃ１］
ユーザ機器（ＵＥ）による無線通信のための方法であって、
アップリンクにおける送信のための、ハイブリッド自動反復要求（ＨＡＲＱ）動作のための基準として用いるための第１の基準サブフレーム構成を識別することと、
ダウンリンクにおける送信のための、ＨＡＲＱ動作のための基準として用いるための第２の基準サブフレーム構成を識別することと、
前記第１および前記第２の基準サブフレーム構成に基づいて、前記アップリンクおよび前記ダウンリンクで、少なくとも１つのノードと通信することと、を備える方法。
［Ｃ２］
前記アップリンクにおける送信および前記ダウンリンクにおける受信のために、現在のサブフレーム構成を識別することをさらに備え、ここにおいて、前記現在のサブフレーム構成は、前記第１または前記第２の基準サブフレーム構成のうちの少なくとも１つとは異なる、をさらに備えるＣ１に記載の方法。
［Ｃ３］
前記ダウンリンクにおける送信のための第２の基準サブフレーム構成は、少なくとも２つの基準サブフレーム構成から識別される、Ｃ１に記載の方法。
［Ｃ４］
前記少なくとも２つの基準サブフレーム構成は、時分割複信（ＴＤＤ）アップリンク／ダウンリンク（ＵＬ／ＤＬ）サブフレーム構成＃２およびＴＤＤ  ＵＬ／ＤＬサブフレーム構成＃５、または、５ミリ秒のスイッチング周期のＴＤＤ  ＵＬ／ＤＬサブフレーム構成および１０ミリ秒のスイッチング周期のＴＤＤ  ＵＬ／ＤＬサブフレーム構成、のうちの少なくとも１つを備える、Ｃ３に記載の方法。
［Ｃ５］
前記アップリンクにおけるスケジューリングのために、ダウンリンク制御情報（ＤＣＩ）フォーマットにおける情報フィールドを、前記第２の基準サブフレーム構成に基づいて解釈すること、ここにおいて、前記情報フィールドは、アップリンク・インデクス・フィールドを備える、をさらに備え、
ここにおいて、少なくとも１つの第２の基準サブフレーム構成について、前記アップリンクにおけるスケジューリングのために、ＤＣＩフォーマットにおける情報フィールドを、第２の基準サブフレーム構成に基づいて解釈することは、ダウンリンク割当の合計数を示すダウンリンク割当フィールド、または、スケジュールされるべき１つまたは複数のアップリンク・サブフレームを示すアップリンク・インデクス・フィールド、のうちの少なくとも１つとして、前記アップリンク・インデクス・フィールドを解釈することを含む、Ｃ１に記載の方法。
［Ｃ６］
前記ダウンリンクにおける送信のための少なくとも前記第２の基準サブフレーム構成は、無線リソース制御（ＲＲＣ）シグナリングを介して準静的に受信される、Ｃ１に記載の方法。
［Ｃ７］
前記アップリンクにおける送信のための少なくとも前記第１の基準サブフレーム構成は、システム情報ブロック（ＳＩＢ）タイプ１を含むブロードキャスト・シグナリングを介して受信される、Ｃ１に記載の方法。
［Ｃ８］
前記アップリンクのためのＨＡＲＱタイミング、スケジューリング・タイミング、またはＨＡＲＱ処理の数のうちの少なくとも１つを、前記第１の基準サブフレーム構成に基づいて決定することと、
前記ダウンリンクのためのＨＡＲＱタイミング、またはＨＡＲＱ処理の数のうちの少なくとも１つを、前記第２の基準サブフレーム構成に基づいて決定することと、をさらに備えるＣ１に記載の方法。
［Ｃ９］
周期的なスケジューリング要求および周期的なチャネル状態情報フィードバックのうちの少なくとも１つの送信を、前記第２の基準サブフレーム構成に基づいて決定すること、をさらに備えるＣ１に記載の方法。
［Ｃ１０］
ＨＡＲＱ動作は、ＨＡＲＱタイミングを含む、Ｃ１に記載の方法。
［Ｃ１１］
基地局（ＢＳ）による無線通信のための方法であって、
アップリンクにおける送信のための、ハイブリッド自動反復要求（ＨＡＲＱ）動作のための基準として用いるための第１の基準サブフレーム構成を識別することと、
ダウンリンクにおける送信のための、ＨＡＲＱ動作のための基準として用いるための第２の基準サブフレーム構成を識別することと、
前記第１および前記第２の基準サブフレーム構成に基づいて、前記アップリンクおよび前記ダウンリンクで少なくとも１つのユーザ機器（ＵＥ）と通信することと、を備える方法。
［Ｃ１２］
前記ダウンリンクにおける送信のための第２の基準サブフレーム構成は、５ミリ秒のスイッチング周期の時分割複信（ＴＤＤ）アップリンク／ダウンリンク（ＵＬ／ＤＬ）サブフレーム構成、または、１０ミリ秒のスイッチング周期のＴＤＤ  ＵＬ／ＤＬサブフレーム構成のうちの少なくとも１つから識別される、Ｃ１１に記載の方法。
［Ｃ１３］
前記アップリンクにおけるスケジューリングのために、ダウンリンク制御情報（ＤＣＩ）フォーマットにおける情報フィールドで情報を提供すること、前記情報は、前記第２の基準サブフレーム構成に基づいて提供され、ここにおいて、前記情報フィールドは、アップリンク・インデクス・フィールドを備える、をさらに備え、
ここにおいて、少なくとも１つの第２の基準サブフレーム構成について、前記アップリンクにおけるスケジューリングのために、ＤＣＩフォーマットにおける情報フィールドで情報を提供することは、ダウンリンク割当の合計数を示すダウンリンク割当情報、または、スケジュールされるべき１つまたは複数のアップリンク・サブフレームを示す情報、のうちの少なくとも１つを、アップリンク・インデクス・フィールドで提供することを含む、Ｃ１１に記載の方法。
［Ｃ１４］
前記ダウンリンクにおける送信のための少なくとも前記第２の基準サブフレーム構成は、無線リソース制御（ＲＲＣ）シグナリングを介して準静的にシグナルされる、Ｃ１１に記載の方法。
［Ｃ１５］
前記アップリンクにおける送信のための少なくとも前記第１の基準サブフレーム構成は、システム情報ブロック（ＳＩＢ）タイプ１を介してシグナルされる、Ｃ１１に記載の方法。
［Ｃ１６］
前記ＢＳが前記ＵＥと通信するネットワークの負荷、または、実際のトラフィックに基づいて、前記アップリンクにおける送信、または、前記ダウンリンクにおける送信のうちの少なくとも１つのための別の基準サブフレーム構成を識別すること、をさらに備えるＣ１１に記載の方法。
［Ｃ１７］
ＨＡＲＱ動作は、ＨＡＲＱタイミングを含む、Ｃ１１に記載の方法。
［Ｃ１８］
無線通信のための装置であって、
アップリンクにおける送信のための、ハイブリッド自動反復要求（ＨＡＲＱ）動作のための基準として用いるための第１の基準サブフレーム構成を識別し、
ダウンリンクにおける送信のための、ＨＡＲＱ動作のための基準として用いるための第２の基準サブフレーム構成を識別し、
前記第１および前記第２の基準サブフレーム構成に基づいて、前記アップリンクおよび前記ダウンリンクで、少なくとも１つのノードと通信する、
ように構成されたプロセッサと、
前記プロセッサに結合されたメモリと、を備える装置。
［Ｃ１９］
前記プロセッサはさらに、前記アップリンクにおける送信および前記ダウンリンクにおける受信のために、現在のサブフレーム構成を識別するように構成され、ここにおいて、前記現在のサブフレーム構成は、前記第１または前記第２の基準サブフレーム構成のうちの少なくとも１つとは異なる、Ｃ１８に記載の装置。
［Ｃ２０］
前記ダウンリンクにおける送信のための第２の基準サブフレーム構成は、少なくとも２つの基準サブフレーム構成から識別され、前記少なくとも２つの基準サブフレーム構成は、５ミリ秒のスイッチング周期の時分割複信（ＴＤＤ）アップリンク／ダウンリンク（ＵＬ／ＤＬ）サブフレーム構成、および１０ミリ秒のスイッチング周期のＴＤＤ  ＵＬ／ＤＬサブフレーム構成を備える、Ｃ１８に記載の装置。
［Ｃ２１］
前記プロセッサはさらに、前記アップリンクにおけるスケジューリングのために、ダウンリンク制御情報（ＤＣＩ）フォーマットにおける情報フィールドを、前記第２の基準サブフレーム構成に基づいて解釈するように構成され、ここにおいて、前記情報フィールドは、アップリンク・インデクス・フィールドを備える、と、
少なくとも１つの第２の基準サブフレーム構成について、前記アップリンクにおけるスケジューリングのために、ＤＣＩフォーマットにおける情報フィールドを、前記第２の基準サブフレーム構成に基づいて解釈することは、前記アップリンク・インデクス・フィールドを、ダウンリンク割当の合計数を示すダウンリンク割当フィールド、または、スケジュールされるべき１つまたは複数のアップリンク・サブフレームを示すアップリンク・インデクス・フィールド、のうちの少なくとも１つとして解釈することを含む、Ｃ１８に記載の装置。
［Ｃ２２］
前記プロセッサはさらに、前記ダウンリンクのための少なくとも前記第２の基準サブフレーム構成を、無線リソース制御（ＲＲＣ）シグナリングを介して準静的に受信するように構成された、Ｃ１８に記載の装置。
［Ｃ２３］
前記アップリンクのための少なくとも前記第１の基準サブフレーム構成は、システム情報ブロック（ＳＩＢ）タイプ１を含むブロードキャスト・シグナリングを介する、Ｃ１８に記載の装置。
［Ｃ２４］
前記プロセッサはさらに、前記アップリンクのためのＨＡＲＱタイミング、スケジューリング・タイミング、またはＨＡＲＱ処理の数のうちの少なくとも１つを、前記第１の基準サブフレーム構成に基づいて決定し、
前記ダウンリンクのためのＨＡＲＱタイミング、またはＨＡＲＱ処理の数のうちの少なくとも１つを、前記第２の基準サブフレーム構成に基づいて決定する、ように構成された、Ｃ１８に記載の装置。
［Ｃ２５］
無線通信のための装置であって、
アップリンクにおける送信のための、ハイブリッド自動反復要求（ＨＡＲＱ）動作のための基準として用いるための第１の基準サブフレーム構成を識別し、
ダウンリンクにおける送信のための、ＨＡＲＱ動作のための基準として用いるための第２の基準サブフレーム構成を識別し、
前記第１および前記第２の基準サブフレーム構成に基づいて、前記アップリンクおよび前記ダウンリンクで少なくとも１つのユーザ機器（ＵＥ）と通信する、
ように構成されたプロセッサと、
前記プロセッサに接続されたメモリと、を備える装置。
［Ｃ２６］
前記ダウンリンクのための前記第２の基準サブフレーム構成は、少なくとも時分割複信（ＴＤＤ）アップリンク／ダウンリンク（ＵＬ／ＤＬ）サブフレーム構成＃２またはＴＤＤ  ＵＬ／ＤＬサブフレーム構成＃５、または、５ミリ秒のスイッチング周期のＴＤＤ  ＵＬ／ＤＬサブフレーム構成または１０ミリ秒のスイッチング周期のＴＤＤ  ＵＬ／ＤＬサブフレーム構成、のうちの少なくとも１つから識別される、Ｃ２５に記載の装置。
［Ｃ２７］
前記プロセッサはさらに、前記アップリンクにおけるスケジューリングのために、ダウンリンク制御情報（ＤＣＩ）フォーマットにおける情報フィールドで情報を提供し、前記情報は、前記第２の基準サブフレーム構成に基づいて提供され、ここにおいて、前記情報フィールドは、アップリンク・インデクス・フィールドを備える、ように構成され、
ここにおいて、少なくとも１つの第２の基準サブフレーム構成について、前記アップリンクにおけるスケジューリングのために、ＤＣＩフォーマットにおける情報フィールドで情報を提供することは、ダウンリンク割当の合計数を示すダウンリンク割当情報、または、スケジュールされるべき１つまたは複数のアップリンク・サブフレームを示す情報、のうちの少なくとも１つを、アップリンク・インデクス・フィールドで提供することを含む、Ｃ２５に記載の装置。
［Ｃ２８］
前記プロセッサはさらに、前記ダウンリンクのための少なくとも前記第２の基準サブフレーム構成を、無線リソース制御（ＲＲＣ）シグナリングを介して準静的にシグナルするように構成された、Ｃ２５に記載の装置。
［Ｃ２９］
前記プロセッサはさらに、前記アップリンクのための少なくとも前記第１の基準サブフレーム構成を、システム情報ブロック（ＳＩＢ）タイプ１を含むブロードキャスト・シグナリングを介してシグナルするように構成された、Ｃ２５に記載の装置。
［Ｃ３０］
前記プロセッサはさらに、前記装置が前記ＵＥと通信するネットワークの負荷、または、実際のトラフィックに基づいて、前記アップリンクまたは前記ダウンリンクのうちの少なくとも１つのための別の基準サブフレーム構成を識別するように構成された、Ｃ２５に記載の装置。